【手続補正書】
【提出日】平成19年4月20日(2007.4.20)
【手続補正１】
【補正対象書類名】特許請求の範囲
【補正対象項目名】全文
【補正方法】変更
【補正の内容】
【特許請求の範囲】
【請求項１】
出口、
該出口に連通された燃料電池スタック、
該燃料電池スタックに連通された有機燃料、および
前記出口に連通された放出制御システム、
を有する燃料電池システムであって、
前記放出制御システムは、吸収、吸着、放出物との触媒反応および／または化学反応によって、前記出口からの有機物放出量を低減することが可能であり、
当該燃料電池システムは、直接メタノール型燃料電池システムであることを特徴とする燃料電池システム。
【請求項２】
放出有機物は、メタノール、蟻酸およびホルムアルデヒドからなる群から選定されることを特徴とする請求項１に記載のシステム。
【請求項３】
前記出口は、アノード出口であることを特徴とする請求項１または２に記載のシステム。
【請求項４】
前記出口は、カソード出口であることを特徴とする請求項１または２に記載のシステム。
【請求項５】
前記放出制御システムは、充填床を備えることを特徴とする前記請求項のいずれか一つに記載のシステム。
【請求項６】
前記充填床は、活性炭素、過マンガン酸カリウム、アルミナおよび酸化ランタンからなる群から選定された材料を有することを特徴とする請求項５に記載のシステム。
【請求項７】
前記放出制御システムは、基材と、有機物放出量を低減することが可能な第１の材料とを有することを特徴とする請求項１乃至4のいずれか一つに記載のシステム。
【請求項８】
前記第１の材料は、活性炭素、過マンガン酸カリウム、アルミナおよび酸化ランタンからなる群から選定されることを特徴とする請求項７に記載のシステム。
【請求項９】
前記有機燃料および放出制御システムは、モジュラーシステムの構成物であることを特徴とする前記請求項のいずれか一つに記載のシステム。
【請求項１０】
さらに、燃料電池スタックへのガス流を制限するように適合された機構を有することを特徴とする前記請求項のいずれか一つに記載のシステム。
【請求項１１】
前記機構は、感圧式バルブで構成されることを特徴とする請求項１０に記載のシステム。
【請求項１２】
前記感圧式バルブは、スリットバルブで構成されることを特徴とする請求項１１に記載のシステム。
【請求項１３】
前記機構は、形状記憶材料で構成されることを特徴とする請求項１０に記載のシステム。
【請求項１４】
前記機構は、前記出口を通るガス流を制限するように適合されることを特徴とする請求項１０乃至１３のいずれか一つに記載のシステム。
【請求項１５】
前記機構は、燃料電池スタックに連通された入口を通るガス流を制限するように適合されることを特徴とする請求項１０乃至１３のいずれか一つに記載のシステム。
【請求項１６】
燃料電池スタックは、第１の材料を有するガス拡散層を備える燃料電池を有し、前記第１の材料は、該第１の材料と接触した有機物の放出量を低減することが可能であることを特徴とする前記請求項のいずれか一つに記載のシステム。
【請求項１７】
前記第１の材料は、白金、パラジウム、ルテニウム、オスミウムおよびイリジウムからなる群から選定されることを特徴とする請求項１６に記載のシステム。
【請求項１８】
前記第１の材料は、酸化物で構成されることを特徴とする請求項１６に記載のシステム。
【請求項１９】
前記第１の材料は、約０．１ｍｇ／ｃｍ２以下で、ガス拡散層に分散されることを特徴とする請求項１６乃至１８のいずれか一つに記載のシステム。
【請求項２０】
前記第１の材料は、約０．０５ｍｇ／ｃｍ２以下で、ガス拡散層に分散されることを特徴とする請求項１６乃至１８のいずれか一つに記載のシステム。
【請求項２１】
前記第１の材料は、約０．０１ｍｇ／ｃｍ２以下で、ガス拡散層に分散されることを特徴とする１６乃至１８のいずれか一つに記載のシステム。
【請求項２２】
前記酸化物は、酸化白金、酸化ルテニウム、酸化マンガンおよび酸化クロムからなる群から選定されることを特徴とする請求項１８に記載のシステム。
【請求項２３】
前記燃料電池スタックは、カソード触媒と、該カソード触媒に連通された通路と、通路を流れるガス量を制限する機構と、を有することを特徴とする前記請求項のいずれか一つに記載の燃料電池システム。
【請求項２４】
前記請求項のいずれか一つに記載の燃料電池システムを作動する方法であって、
燃料電池システム内の燃料電池触媒に、有機燃料を接触させるステップと、
燃料電池システムの出口からの有機物の放出量を低減させるステップと、
を有する方法。
【請求項２５】
放出有機物は、メタノール、蟻酸およびホルムアルデヒドからなる群から選定されることを特徴とする請求項２４に記載の方法。
【請求項２６】
出口からの放出物を、第１の材料と接触させるステップを有し、前記第１の材料は、出口から放出されるメタノールの量を低減することが可能であることを特徴とする請求項２４または２５に記載の方法。
【請求項２７】
前記第１の材料は、炭素を含むことを特徴とする請求項２４乃至２６のいずれか一つに記載の方法。
【請求項２８】
出口からの放出物を、第１の材料と接触させるステップを有し、前記第１の材料は、出口から放出される蟻酸の量を低減することが可能であることを特徴とする請求項２６または２７に記載の方法。
【請求項２９】
前記第１の材料は、酸化ランタンまたは炭素を含むことを特徴とする請求項２６乃至２８のいずれか一つに記載の方法。
【請求項３０】
出口からの放出物を、第１の材料と接触させるステップを有し、前記第１の材料は、出口から放出されるホルムアルデヒドの量を低減することが可能であることを特徴とする請求項２４に記載の方法。
【請求項３１】
前記第１の材料は、過マンガン酸カリウムまたはアルミナを含むことを特徴とする請求項３０に記載の方法。
【請求項３２】
さらに、燃料電池のガス拡散層に分散された第１の材料に、放出有機物を接触させるステップを有し、前記第１の材料は、有機物放出量を低減することが可能であることを特徴とする請求項２４に記載の方法。
【請求項３３】
前記第１の材料は、白金、パラジウム、ルテニウム、オスミウムおよびイリジウムからなる群から選定されることを特徴とする請求項３２に記載の方法。
【請求項３４】
前記第１の材料は、酸化物で構成されることを特徴とする請求項３２に記載の方法。
【請求項３５】
請求項１乃至２３のいずれか一つに記載の燃料電池システムを作動する方法であって、
燃料電池システムの作動を停止させるステップと、
燃料電池システムへのガス流を低減させるステップと、
を有する方法。
【請求項３６】
ガス流を低減させるステップは、形状記憶材料を含む機構を作動させるステップを有することを特徴とする請求項３５に記載の方法。
【請求項３７】
ガス流を低減させるステップは、燃料電池システムの作動が停止されてから実行されることを特徴とする請求項３５または３６に記載の方法。
【請求項３８】
燃料電池システムのカソード入口を通るガス流を低減させるステップを有することを特徴とする請求項３５乃至３７のいずれか一つに記載の方法。
【請求項３９】
燃料電池システムのカソード出口を通るガス流を低減させるステップを有することを特徴とする請求項３５乃至３７のいずれか一つに記載の方法。
【請求項４０】
ガス流を低減させるステップは、感圧式バルブを用いて通路を制限するステップを有することを特徴とする請求項３５に記載の方法。